【手続補正書】
【提出日】平成17年1月25日(2005.1.25)
【手続補正１】
【補正対象書類名】明細書
【補正対象項目名】特許請求の範囲
【補正方法】変更
【補正の内容】
【特許請求の範囲】
【請求項１】
複数のプリント設定パラメータセットを記憶する第１記憶手段を有するサーバと通信可能であって、かつ、画像形成装置によって画像形成すべきデータを生成するプリンタドライバを有する情報処理装置であって、
前記プリンタドライバによって設定される複数のプリント設定パラメータセットを記憶する第２記憶手段と、
前記第１記憶手段に記憶されたプリント設定パラメータセットと、前記第２記憶手段に記憶されたプリント設定パラメータセットとを取得する取得手段と、
前記プリンタドライバのユーザインタフェースにおいて、前記取得手段で取得した複数のプリント設定パラメータセットを、それぞれが複数のプリント設定を含み、文書毎に選択可能なプロファイルとしてリスト表示する表示制御手段と、
表示された複数のプリント設定パラメータセットのリストから、プリント設定パラメータセットを選択する選択手段と、
を有し、
前記表示制御手段によってリスト表示された前記プロファイルは、前記第１記憶手段から取得したプリント設定パラメータセットと、前記第２記憶手段から取得したプリント設定パラメータセットとを含むことを特徴とする情報処理装置。
【請求項２】
ユーザの操作に応じて前記第２記憶手段にプリント設定パラメータを登録する登録手段を更に含むことを特徴とする請求項１に記載の情報処理装置。
【請求項３】
前記登録手段は、前記第１記憶手段に記憶されたプリント設定パラメータセットを編集し、前記第２記憶手段に、編集されたプリント設定パラメータセットを登録することを特徴とする請求項２に記載の情報処理装置。
【請求項４】
前記表示制御手段は、前記第１記憶手段から取得したプリント設定パラメータセットと前記第２記憶手段から取得したプリント設定パラメータセットとを識別可能にリスト表示することを特徴とする請求項１に記載の情報処理装置。
【請求項５】
プリンタプロパティを設定する第１グラフィカルユーザインタフェースと、ドキュメントプロパティを設定する第２グラフィカルユーザインタフェースとを有するプリンタドライバを備えた情報処理装置であって、
前記第１グラフィカルユーザインタフェースを用いて設定された複数のプリント設定パラメータセットを記憶する記憶手段と、
前記第２グラフィカルユーザインタフェースを用いた複数のプリント設定パラメータセットの編集を許容するか否かを示す権限を、前記第１グラフィカルユーザインタフェースを用いて設定する設定手段と、
前記設定手段によって設定された前記権限に基づいて、前記第２グラフィカルユーザインタフェース上で編集可能に表示される前記プリント設定パラメータセットを制限する表示制御手段と
前記設定手段によって設定された権限が、前記第２グラフィカルユーザインタフェースを用いて前記プリント設定パラメータセットを編集することを許容する内容である場合に、前記表示制御手段は、前記第２グラフィカルユーザインタフェース上で前記プリント設定パラメータセットを編集できないように前記第２グラフィカルユーザインタフェースを表示することを特徴とする情報処理装置。
【請求項６】
複数のクライアントコンピュータと通信可能であって、前記設定手段は複数のクライアントコンピュータに対して同じ権限を設定可能であることを特徴とする請求項５に記載の情報処理装置。
【請求項７】
それぞれのプリント設定パラメータセットは、ページレイアウト、プリント方法、用紙排出方法の少なくとも１つを設定することを特徴とする請求項５に記載の情報処理装置。
【請求項８】
複数のプリント設定パラメータセットを記憶する第１記憶手段を有するサーバと通信可能であって、かつ、画像形成装置によって画像形成すべきデータを生成するプリンタドライバと、前記プリンタドライバによって設定される複数のプリント設定パラメータセットを記憶する第２記憶手段と、を有する情報処理装置を用いた情報処理方法であって、
前記第１記憶手段に記憶されたプリント設定パラメータセットと、前記第２記憶手段に記憶されたプリント設定パラメータセットとを取得する取得工程と、
前記プリンタドライバのユーザインタフェースにおいて、前記取得工程で取得した複数のプリント設定パラメータセットを、それぞれが複数のプリント設定を含み、文書毎に選択可能なプロファイルとしてリスト表示する表示制御工程と、
表示された複数のプリント設定パラメータセットのリストから、プリント設定パラメータセットを選択する選択工程と、
を有し、
前記表示制御工程でリスト表示された前記プロファイルは、前記第１記憶手段から取得したプリント設定パラメータセットと、前記第２記憶手段から取得したプリント設定パラメータセットとを含むことを特徴とする情報処理方法。
【請求項９】
ユーザの操作に応じて前記第２記憶手段にプリント設定パラメータを登録する登録工程を更に含むことを特徴とする請求項８に記載の情報処理方法。
【請求項１０】
前記登録工程は、前記第１記憶手段に記憶されたプリント設定パラメータセットを編集し、前記第２記憶手段に、編集されたプリント設定パラメータセットを登録することを特徴とする請求項９に記載の情報処理方法。
【請求項１１】
前記表示制御工程は、前記第１記憶手段から取得したプリント設定パラメータセットと前記第２記憶手段から取得したプリント設定パラメータセットとを識別可能にリスト表示することを特徴とする請求項８に記載の情報処理方法。
【請求項１２】
プリンタプロパティを設定する第１グラフィカルユーザインタフェースと、ドキュメントプロパティを設定する第２グラフィカルユーザインタフェースとを有するプリンタドライバを備えた情報処理装置を用いる情報処理方法であって、
前記第１グラフィカルユーザインタフェースを用いて設定された複数のプリント設定パラメータセットを記憶する記憶工程と、
前記第２グラフィカルユーザインタフェースを用いた複数のプリント設定パラメータセットの編集を許容するか否かを示す権限を、前記第１グラフィカルユーザインタフェースを用いて設定する設定工程と、
前記設定手段によって設定された前記権限に基づいて、前記第２グラフィカルユーザインタフェース上で編集可能に表示される前記プリント設定パラメータセットを制限する制限工程と、を有し
前記設定工程で設定された権限が、前記第２グラフィカルユーザインタフェースを用いて前記プリント設定パラメータセットを編集することを許容する内容である場合に、前記第２グラフィカルユーザインタフェース上で前記プリント設定パラメータセットを編集できないように前記第２グラフィカルユーザインタフェースを表示することを特徴とする情報処理方法。
【請求項１３】
前記情報処理装置は複数のクライアントコンピュータと通信可能であって、前記設定工程は複数のクライアントコンピュータに対して同じ権限を設定可能であることを特徴とする請求項１２に記載の情報処理方法。
【請求項１４】
それぞれのプリント設定パラメータセットは、ページレイアウト、プリント方法、用紙排出方法の少なくとも１つを設定することを特徴とする請求項１２に記載の情報処理方法。
【請求項１５】
複数のプリント設定パラメータセットを記憶する第１記憶手段を有するサーバと通信可能であって、かつ、画像形成装置によって画像形成すべきデータを生成するプリンタドライバと、前記プリンタドライバによって設定される複数のプリント設定パラメータセットを記憶する第２記憶手段と、を有する情報処理装置の制御プログラムを記憶した記憶媒体であって、
前記制御プログラムは、前記情報処理装置に、
前記第１記憶手段に記憶されたプリント設定パラメータセットと、前記第２記憶手段に記憶されたプリント設定パラメータセットとを取得する取得工程と、
前記プリンタドライバのユーザインタフェースにおいて、前記取得工程で取得した複数のプリント設定パラメータセットを、それぞれが複数のプリント設定を含み、文書毎に選択可能なプロファイルとしてリスト表示する表示制御工程と、
表示された複数のプリント設定パラメータセットのリストから、プリント設定パラメータセットを選択する選択工程と、
を実行させ、
前記表示制御工程でリスト表示された前記プロファイルは、前記第１記憶手段から取得したプリント設定パラメータセットと、前記第２記憶手段から取得したプリント設定パラメータセットとを含むことを特徴とするコンピュータ読み取り可能な記憶媒体。
【請求項１６】
ユーザの操作に応じて前記第２記憶手段にプリント設定パラメータを登録する登録工程を更に含むことを特徴とする請求項１５に記載のコンピュータ読み取り可能な記憶媒体。
【請求項１７】
前記登録工程は、前記第１記憶手段に記憶されたプリント設定パラメータセットを編集し、前記第２記憶手段に、編集されたプリント設定パラメータセットを登録することを特徴とする請求項１６に記載のコンピュータ読み取り可能な記憶媒体。
【請求項１８】
前記表示制御工程は、前記第１記憶手段から取得したプリント設定パラメータセットと前記第２記憶手段から取得したプリント設定パラメータセットとを識別可能にリスト表示することを特徴とする請求項１５に記載のコンピュータ読み取り可能な記憶媒体。
【請求項１９】
プリンタプロパティを設定する第１グラフィカルユーザインタフェースと、ドキュメントプロパティを設定する第２グラフィカルユーザインタフェースとを有するプリンタドライバを備えた情報処理装置の制御プログラムを格納した記憶媒体であって、
前記制御プログラムは、前記情報処理装置に、
前記第１グラフィカルユーザインタフェースを用いて設定された複数のプリント設定パラメータセットを記憶する記憶工程と、
前記第２グラフィカルユーザインタフェースを用いた複数のプリント設定パラメータセットの編集を許容するか否かを示す権限を、前記第１グラフィカルユーザインタフェースを用いて設定する設定工程と、
前記設定手段によって設定された前記権限に基づいて、前記第２グラフィカルユーザインタフェース上で編集可能に表示される前記プリント設定パラメータセットを制限する制限工程と、を実行させ、
前記設定工程で設定された権限が、前記第２グラフィカルユーザインタフェースを用いて前記プリント設定パラメータセットを編集することを許容する内容である場合に、前記第２グラフィカルユーザインタフェース上で前記プリント設定パラメータセットを編集できないように前記第２グラフィカルユーザインタフェースを表示することを特徴とするコンピュータ読み取り可能な記憶媒体。
【請求項２０】
前記情報処理装置は複数のクライアントコンピュータと通信可能であって、前記設定工程は複数のクライアントコンピュータに対して同じ権限を設定可能であることを特徴とする請求項１９に記載のコンピュータ読み取り可能な記憶媒体。
【請求項２１】
それぞれのプリント設定パラメータセットは、ページレイアウト、プリント方法、用紙排出方法の少なくとも１つを設定することを特徴とする請求項１９に記載のコンピュータ読み取り可能な記憶媒体。
【手続補正２】
【補正対象書類名】明細書
【補正対象項目名】０００７
【補正方法】変更
【補正の内容】
【０００７】
【課題を解決するための手段】
上記目的を達成するため、本発明に係る装置は、
複数のプリント設定パラメータセットを記憶する第１記憶手段を有するサーバと通信可能であって、かつ、画像形成装置によって画像形成すべきデータを生成するプリンタドライバを有する情報処理装置であって、
前記プリンタドライバによって設定される複数のプリント設定パラメータセットを記憶する第２記憶手段と、
前記第１記憶手段に記憶されたプリント設定パラメータセットと、前記第２記憶手段に記憶されたプリント設定パラメータセットとを取得する取得手段と、
前記プリンタドライバのユーザインタフェースにおいて、前記取得手段で取得した複数のプリント設定パラメータセットを、それぞれが複数のプリント設定を含み、文書毎に選択可能なプロファイルとしてリスト表示する表示制御手段と、
表示された複数のプリント設定パラメータセットのリストから、プリント設定パラメータセットを選択する選択手段と、
を有し、
前記表示制御手段によってリスト表示された前記プロファイルは、前記第１記憶手段から取得したプリント設定パラメータセットと、前記第２記憶手段から取得したプリント設定パラメータセットとを含むことを特徴とする。
【手続補正３】
【補正対象書類名】明細書
【補正対象項目名】０００８
【補正方法】変更
【補正の内容】
【０００８】
ユーザの操作に応じて前記第２記憶手段にプリント設定パラメータを登録する登録手段を更に含むことを特徴とする。
【手続補正４】
【補正対象書類名】明細書
【補正対象項目名】０００９
【補正方法】変更
【補正の内容】
【０００９】
前記登録手段は、前記第１記憶手段に記憶されたプリント設定パラメータセットを編集し、前記第２記憶手段に、編集されたプリント設定パラメータセットを登録することを特徴とする。
【手続補正５】
【補正対象書類名】明細書
【補正対象項目名】００１０
【補正方法】変更
【補正の内容】
【００１０】
前記表示制御手段は、前記第１記憶手段から取得したプリント設定パラメータセットと前記第２記憶手段から取得したプリント設定パラメータセットとを識別可能にリスト表示することを特徴とする。
【手続補正６】
【補正対象書類名】明細書
【補正対象項目名】００１１
【補正方法】変更
【補正の内容】
【００１１】
プリンタプロパティを設定する第１グラフィカルユーザインタフェースと、ドキュメントプロパティを設定する第２グラフィカルユーザインタフェースとを有するプリンタドライバを備えた情報処理装置であって、
前記第１グラフィカルユーザインタフェースを用いて設定された複数のプリント設定パラメータセットを記憶する記憶手段と、
前記第２グラフィカルユーザインタフェースを用いた複数のプリント設定パラメータセットの編集を許容するか否かを示す権限を、前記第１グラフィカルユーザインタフェースを用いて設定する設定手段と、
前記設定手段によって設定された前記権限に基づいて、前記第２グラフィカルユーザインタフェース上で編集可能に表示される前記プリント設定パラメータセットを制限する表示制御手段と
前記設定手段によって設定された権限が、前記第２グラフィカルユーザインタフェースを用いて前記プリント設定パラメータセットを編集することを許容する内容である場合に、前記表示制御手段は、前記第２グラフィカルユーザインタフェース上で前記プリント設定パラメータセットを編集できないように前記第２グラフィカルユーザインタフェースを表示することを特徴とする。
【手続補正７】
【補正対象書類名】明細書
【補正対象項目名】００１２
【補正方法】変更
【補正の内容】
【００１２】
複数のクライアントコンピュータと通信可能であって、前記設定手段は複数のクライアントコンピュータに対して同じ権限を設定可能であることを特徴とする。
【手続補正８】
【補正対象書類名】明細書
【補正対象項目名】００１３
【補正方法】変更
【補正の内容】
【００１３】
それぞれのプリント設定パラメータセットは、ページレイアウト、プリント方法、用紙排出方法の少なくとも１つを設定することを特徴とする。
【手続補正９】
【補正対象書類名】明細書
【補正対象項目名】００１４
【補正方法】変更
【補正の内容】
【００１４】
上記目的を達成するため、本発明に係る方法は、
複数のプリント設定パラメータセットを記憶する第１記憶手段を有するサーバと通信可能であって、かつ、画像形成装置によって画像形成すべきデータを生成するプリンタドライバと、前記プリンタドライバによって設定される複数のプリント設定パラメータセットを記憶する第２記憶手段と、を有する情報処理装置を用いた情報処理方法であって、
前記第１記憶手段に記憶されたプリント設定パラメータセットと、前記第２記憶手段に記憶されたプリント設定パラメータセットとを取得する取得工程と、
前記プリンタドライバのユーザインタフェースにおいて、前記取得工程で取得した複数のプリント設定パラメータセットを、それぞれが複数のプリント設定を含み、文書毎に選択可能なプロファイルとしてリスト表示する表示制御工程と、
表示された複数のプリント設定パラメータセットのリストから、プリント設定パラメータセットを選択する選択工程と、
を有し、
前記表示制御工程でリスト表示された前記プロファイルは、前記第１記憶手段から取得したプリント設定パラメータセットと、前記第２記憶手段から取得したプリント設定パラメータセットとを含むことを特徴とする。
【手続補正１０】
【補正対象書類名】明細書
【補正対象項目名】００１５
【補正方法】変更
【補正の内容】
【００１５】
プリンタプロパティを設定する第１グラフィカルユーザインタフェースと、ドキュメントプロパティを設定する第２グラフィカルユーザインタフェースとを有するプリンタドライバを備えた情報処理装置を用いる情報処理方法であって、
前記第１グラフィカルユーザインタフェースを用いて設定された複数のプリント設定パラメータセットを記憶する記憶工程と、
前記第２グラフィカルユーザインタフェースを用いた複数のプリント設定パラメータセットの編集を許容するか否かを示す権限を、前記第１グラフィカルユーザインタフェースを用いて設定する設定工程と、
前記設定手段によって設定された前記権限に基づいて、前記第２グラフィカルユーザインタフェース上で編集可能に表示される前記プリント設定パラメータセットを制限する制限工程と、を有し
前記設定工程で設定された権限が、前記第２グラフィカルユーザインタフェースを用いて前記プリント設定パラメータセットを編集することを許容する内容である場合に、前記第２グラフィカルユーザインタフェース上で前記プリント設定パラメータセットを編集できないように前記第２グラフィカルユーザインタフェースを表示することを特徴とする。
【手続補正１１】
【補正対象書類名】明細書
【補正対象項目名】００１６
【補正方法】変更
【補正の内容】
【００１６】
上記目的を達成するため、本発明に係るプログラムは、
複数のプリント設定パラメータセットを記憶する第１記憶手段を有するサーバと通信可能であって、かつ、画像形成装置によって画像形成すべきデータを生成するプリンタドライバと、前記プリンタドライバによって設定される複数のプリント設定パラメータセットを記憶する第２記憶手段と、を有する情報処理装置の制御プログラムであって、
前記情報処理装置に、
前記第１記憶手段に記憶されたプリント設定パラメータセットと、前記第２記憶手段に記憶されたプリント設定パラメータセットとを取得する取得工程と、
前記プリンタドライバのユーザインタフェースにおいて、前記取得工程で取得した複数のプリント設定パラメータセットを、それぞれが複数のプリント設定を含み、文書毎に選択可能なプロファイルとしてリスト表示する表示制御工程と、
表示された複数のプリント設定パラメータセットのリストから、プリント設定パラメータセットを選択する選択工程と、
を実行させ、
前記表示制御工程でリスト表示された前記プロファイルは、前記第１記憶手段から取得したプリント設定パラメータセットと、前記第２記憶手段から取得したプリント設定パラメータセットとを含むことを特徴とする。
【手続補正１２】
【補正対象書類名】明細書
【補正対象項目名】００１７
【補正方法】変更
【補正の内容】
【００１７】
プリンタプロパティを設定する第１グラフィカルユーザインタフェースと、ドキュメントプロパティを設定する第２グラフィカルユーザインタフェースとを有するプリンタドライバを備えた情報処理装置の制御プログラムであって、
前記情報処理装置に、
前記第１グラフィカルユーザインタフェースを用いて設定された複数のプリント設定パラメータセットを記憶する記憶工程と、
前記第２グラフィカルユーザインタフェースを用いた複数のプリント設定パラメータセットの編集を許容するか否かを示す権限を、前記第１グラフィカルユーザインタフェースを用いて設定する設定工程と、
前記設定手段によって設定された前記権限に基づいて、前記第２グラフィカルユーザインタフェース上で編集可能に表示される前記プリント設定パラメータセットを制限する制限工程と、を実行させ、
前記設定工程で設定された権限が、前記第２グラフィカルユーザインタフェースを用いて前記プリント設定パラメータセットを編集することを許容する内容である場合に、前記第２グラフィカルユーザインタフェース上で前記プリント設定パラメータセットを編集できないように前記第２グラフィカルユーザインタフェースを表示することを特徴とする。
【手続補正１３】
【補正対象書類名】明細書
【補正対象項目名】００１８
【補正方法】変更
【補正の内容】
【００１８】
上記目的を達成するため、本発明に係る記憶媒体は、上記制御プログラムを格納したことを特徴とする。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】